(57)【要約】【課題】  エレベータかご室本体の側面に設置される手摺装置を内開き扉に干渉されることなく背面近傍まで延びるものとすることができ、背面付近の乗客がこの手摺装置を利用することが可能となり利便性が良いエレベータかご室を提供する。【解決手段】  エレベータかご室は、背面１３に内開き扉１４ａを有する箱型のエレベータかご室本体１０と、このエレベータかご室本体１０の背面１３に隣接する側面１２に設置される手摺装置２０とを備えている。手摺装置２０は、側面１２に沿って水平方向に延び、この側面１２に取り付けられた棒状の前部手摺２１と、前部手摺２１から背面側に延びる棒状の後部手摺２２とを有している。後部手摺２２は、側面１２に対して垂直方向に配置された回転軸２３を介して前部手摺２１に対して回動自在に枢支されている。【選択図】  図１
2006256822.tif 000002
【特許請求の範囲】
【請求項１】
背面に内開き扉を有する箱型のエレベータかご室本体と、
このエレベータかご室本体の背面に隣接する側面に設置される手摺装置と、を備え、
前記手摺装置は、
前記側面に沿って水平方向に延び、当該側面に取り付けられた棒状の前部手摺と、
前記前部手摺から背面側に延びるとともに、前記側面に対して垂直方向に配置された回転軸を介して前記前部手摺に対して回動自在に枢支された棒状の後部手摺と、
を有することを特徴とするエレベータかご室。
【請求項２】
前記エレベータかご室本体の側面に、前記回転軸の端部に連結された駆動部が設けられ、
前記エレベータかご室本体内に、前記駆動部に電気的に接続された手動スイッチが設けられ、
前記手動スイッチからの信号に基づいて前記駆動部が前記回転軸を回転させ、前記後部手摺が前記前部手摺に対して当該回転軸を中心として回転することを特徴とする請求項１記載のエレベータかご室。
【請求項３】
前記エレベータかご室本体の内開き扉に、当該内開き扉の開閉状態を検知するとともに前記駆動部に電気的に接続されたリミットスイッチが設けられ、
前記内開き扉が開状態となったときに前記リミットスイッチは前記駆動部に信号を送り、当該駆動部が前記回転軸を回転させ、前記後部手摺が前記前部手摺に対して当該回転軸を中心として回転することを特徴とする請求項２記載のエレベータかご室。
【請求項４】
背面に内開き扉を有する箱型のエレベータかご室本体と、
このエレベータかご室本体の背面に隣接する側面に設置される手摺装置と、を備え、
前記手摺装置は、
前記側面に沿って水平方向に延び、当該側面に取り付けられ、背面側に開口する収納部を有する前部手摺と、
前記前部手摺から背面側に延びるとともに、当該前部手摺の収納部に収納されるよう軸方向に摺動自在となっている棒状の後部手摺と、
を有することを特徴とするエレベータかご室。
【請求項５】
前記前部手摺の内部に、前記後部手摺に伝達機構を介して接続された駆動部が設けられ、
前記エレベータかご室本体内に、前記駆動部に電気的に接続された手動スイッチが設けられ、
前記手動スイッチからの信号に基づいて前記駆動部が前記後部手摺を前記前部手摺に対して軸方向に摺動させることを特徴とする請求項４記載のエレベータかご室。
【請求項６】
前記エレベータかご室本体の内開き扉に、当該内開き扉の開閉状態を検知するとともに前記駆動部に電気的に接続されたリミットスイッチが設けられ、
前記内開き扉が開状態となったときに前記リミットスイッチは前記駆動部に信号を送り、当該駆動部が前記後部手摺を前面側に摺動させ、この後部手摺が前記前部手摺の収納部に収納されることを特徴とする請求項５記載のエレベータかご室。
【請求項７】
背面に内開き扉を有する箱型のエレベータかご室本体と、
このエレベータかご室本体の背面に隣接する側面に設置される手摺装置と、を備え、
前記手摺装置は、
前記側面に沿って水平方向に延び、当該側面に取り付けられた棒状の前部手摺と、
前記前部手摺よりも背面側においてこの前部手摺から分離して前記側面に沿って水平方向に設けられ、上限レベルが前記内開き扉の上端よりも上方となるよう鉛直方向に移動自在となっている棒状の後部手摺と、
を有することを特徴とするエレベータかご室。
【請求項８】
エレベータかご室本体の側面に、前記後部手摺に伝達機構を介して接続された駆動部が設けられ、
前記エレベータかご室本体内に、前記駆動部に電気的に接続された手動スイッチが設けられ、
前記手動スイッチからの信号に基づいて前記駆動部が前記後部手摺を鉛直方向に移動させることを特徴とする請求項７記載のエレベータかご室。
【請求項９】
前記エレベータかご室本体の内開き扉に、当該内開き扉の開閉状態を検知するとともに前記駆動部に電気的に接続されたリミットスイッチが設けられ、
前記内開き扉が開状態となったときに前記リミットスイッチは前記駆動部に信号を送り、当該駆動部が前記後部手摺を前記内開き扉の上端よりも上方の位置まで鉛直方向上方に移動させることを特徴とする請求項８記載のエレベータかご室。
【発明の詳細な説明】
【技術分野】
【０００１】
本発明は、背面に内開き扉を有する箱形のエレベータかご室本体と、このエレベータかご室本体の背面に隣接する側面に設置される手摺装置とを備えたエレベータかご室に関する。
【背景技術】
【０００２】
従来のエレベータかご室を、図面を参照して説明する。ここで、図１８は、従来のエレベータかご室の構成を示す側面図であり、図１９は、図１８のエレベータかご室の上面図である。
【０００３】
図１８および図１９に示すように、従来のエレベータかご室は、乗客が乗降を行うための引き戸型の開閉扉１１ａが設けられた前面１１と、前面１１に隣接して設けられた一対の側面１２と、前面１１に対向して設けられた背面１３とを有するエレベータかご室本体１０を備えている。
そして、寸法の大きな担架や棺の運搬を行うために、エレベータかご室本体１０の背面１３の奧方には更にトランク室１４が設けられており、この背面１３には内開きの２枚のトランク扉１４ａが設けられている。
背面１３に設けられた２枚のトランク扉１４ａは、図１９の鎖線に示すようにエレベータかご室本体１０の前面１１側に向かって観音開きを行うようになっている。
【０００４】
従来よりこのようなエレベータかご室においては、エレベータかご室本体１０の各側面１２に車椅子使用者や身体障害者等の乗客が掴むための手摺装置５０が取り付けられている（例えば特許文献１参照）。手摺装置５０は、エレベータかご室本体１０の側面１２に沿って配置される棒状の手摺本体５１と、この手摺本体５１の両端部分を側面１２に取り付けるための２つのブラケット５２とを有している。
【０００５】
【特許文献１】特開平１０−３６０４４号公報
【発明の開示】
【発明が解決しようとする課題】
【０００６】
上述のエレベータかご室において、エレベータかご室本体１０の背面１３には内開き型のトランク扉１４ａが設けられているので、このトランク扉１４ａを開く際に側面１２に設置された手摺装置５０が邪魔とならないよう、図１９に示すように当該手摺装置５０の手摺本体５１の寸法を予め短くしておき、この手摺装置５０と開状態のトランク扉１４ａとが衝突しないような設計を行う必要がある。しかしながら、この場合には、エレベータかご室本体１０内の奧方（背面１３付近）の乗客は手摺装置５０を掴むことができなくなるので利便性に欠けるという問題がある。
【０００７】
本発明は、このような点を考慮してなされたものであり、エレベータかご室本体の背面に内開き扉が設けられている場合であっても、このエレベータかご室本体の側面に設置される手摺装置を前述の内開き扉に干渉されることなく背面近傍まで延びるものとすることができ、背面付近の乗客がこの手摺装置を利用することが可能となるので利便性が良いエレベータかご室を提供することを目的とする。
【課題を解決するための手段】
【０００８】
本発明は、背面に内開き扉を有する箱型のエレベータかご室本体と、このエレベータかご室本体の背面に隣接する側面に設置される手摺装置と、を備え、前記手摺装置は、前記側面に沿って水平方向に延び、当該側面に取り付けられた棒状の前部手摺と、前記前部手摺から背面側に延びるとともに、前記側面に対して垂直方向に配置された回転軸を介して前記前部手摺に対して回動自在に枢支された棒状の後部手摺と、を有することを特徴とするエレベータかご室である。
このようなエレベータかご室によれば、手摺装置において後部手摺は前部手摺に対して回転軸を介して回動自在に枢支されている。このため内開き扉が閉じているときには後部手摺を前部手摺から背面側に水平方向に延びる状態とし、一方、内開き扉を開く場合には後部手摺を前部手摺の後端に対して回転させてこの後部手摺を回転軸に対して垂直方向下方に延びる状態とすることにより、内開き扉を手摺装置と衝突することなく側面に近接する位置まで完全に開くことができる。このことにより、エレベータかご室本体の背面に内開き扉が設けられている場合であっても、このエレベータかご室本体の側面に設置される手摺装置を背面近傍まで延びるものとすることができ、背面付近の乗客も手摺装置を利用することが可能となるのでエレベータかご室の乗客に対する利便性を高めることができる。
【０００９】
本発明のエレベータかご室においては、前記エレベータかご室本体の側面に、前記回転軸の端部に連結された駆動部が設けられ、前記エレベータかご室本体内に、前記駆動部に電気的に接続された手動スイッチが設けられ、前記手動スイッチからの信号に基づいて前記駆動部が前記回転軸を回転させ、前記後部手摺が前記前部手摺に対して当該回転軸を中心として回転することが好ましい。
このようなエレベータかご室によれば、乗客は手動スイッチを操作するだけで手摺装置の後部手摺の回転移動を自動的に行うことができるので、エレベータかご室の乗客に対する利便性をより向上させることができる。
【００１０】
本発明のエレベータかご室においては、前記エレベータかご室本体の内開き扉に、当該内開き扉の開閉状態を検知するとともに前記駆動部に電気的に接続されたリミットスイッチが設けられ、前記内開き扉が開状態となったときに前記リミットスイッチは前記駆動部に信号を送り、当該駆動部が前記回転軸を回転させ、前記後部手摺が前記前部手摺に対して当該回転軸を中心として回転することが好ましい。
このようなエレベータかご室によれば、内開き扉を乗客が開いた際には手摺装置の後部手摺の回転移動が自動的に行われるので、エレベータかご室の乗客に対する利便性をより向上させることができる。
【００１１】
本発明は、背面に内開き扉を有する箱型のエレベータかご室本体と、このエレベータかご室本体の背面に隣接する側面に設置される手摺装置と、を備え、前記手摺装置は、前記側面に沿って水平方向に延び、当該側面に取り付けられ、背面側に開口する収納部を有する前部手摺と、前記前部手摺から背面側に延びるとともに、当該前部手摺の収納部に収納されるよう軸方向に摺動自在となっている棒状の後部手摺と、を有することを特徴とするエレベータかご室である。
このようなエレベータかご室によれば、手摺装置において後部手摺は前部手摺から背面側に延びるとともに、この前部手摺の収納部に収納されるよう軸方向に摺動自在となっている。このため内開き扉が閉じているときには後部手摺を前部手摺から背面側に水平方向に延びる状態とし、一方、内開き扉を開く場合には後部手摺を前部手摺に対して摺動させてこの後部手摺が前部手摺に収納された状態とすることにより、内開き扉を手摺装置と衝突することなく側面に近接する位置まで完全に開くことができる。このことにより、エレベータかご室本体の背面に内開き扉が設けられている場合であっても、このエレベータかご室本体の側面に設置される手摺装置を背面近傍まで延びるものとすることができ、背面付近の乗客も手摺装置を利用することが可能となるのでエレベータかご室の乗客に対する利便性を高めることができる。
【００１２】
本発明のエレベータかご室においては、前記前部手摺の内部に、前記後部手摺に伝達機構を介して接続された駆動部が設けられ、前記エレベータかご室本体内に、前記駆動部に電気的に接続された手動スイッチが設けられ、前記手動スイッチからの信号に基づいて前記駆動部が前記後部手摺を前記前部手摺に対して軸方向に摺動させることが好ましい。
このようなエレベータかご室によれば、乗客は手動スイッチを操作するだけで手摺装置の後部手摺の前部手摺に対する摺動を自動的に行うことができるので、エレベータかご室の乗客に対する利便性をより向上させることができる。
【００１３】
本発明のエレベータかご室においては、前記エレベータかご室本体の内開き扉に、当該内開き扉の開閉状態を検知するとともに前記駆動部に電気的に接続されたリミットスイッチが設けられ、前記内開き扉が開状態となったときに前記リミットスイッチは前記駆動部に信号を送り、当該駆動部が前記後部手摺を前面側に摺動させ、この後部手摺が前記前部手摺の収納部に収納されることが好ましい。
このようなエレベータかご室によれば、内開き扉を乗客が開いた際には手摺装置の後部手摺の前部手摺に対する摺動が自動的に行われるので、エレベータかご室の乗客に対する利便性をより向上させることができる。
【００１４】
本発明は、背面に内開き扉を有する箱型のエレベータかご室本体と、このエレベータかご室本体の背面に隣接する側面に設置される手摺装置と、を備え、前記手摺装置は、前記側面に沿って水平方向に延び、当該側面に取り付けられた棒状の前部手摺と、前記前部手摺よりも背面側においてこの前部手摺から分離して前記側面に沿って水平方向に設けられ、上限レベルが前記内開き扉の上端よりも上方となるよう鉛直方向に移動自在となっている棒状の後部手摺と、を有することを特徴とするエレベータかご室である。
このようなエレベータかご室によれば、手摺装置において後部手摺は前部手摺から分離して側面に沿って水平方向に設けられ、上限レベルが内開き扉の上端よりも上方となるよう鉛直方向に移動自在となっている。このため内開き扉が閉じているときには後部手摺を前部手摺と略同一のレベルとなる状態で支持し、一方、内開き扉を開く場合には後部手摺を鉛直方向上方に移動させてこの後部手摺のレベルが内開き扉の上端よりも上方となる状態とすることにより、内開き扉を手摺装置と衝突することなく側面に近接する位置まで完全に開くことができる。このことにより、エレベータかご室本体の背面に内開き扉が設けられている場合であっても、このエレベータかご室本体の側面に設置される手摺装置を背面近傍まで延びるものとすることができ、背面付近の乗客も手摺装置を利用することが可能となるのでエレベータかご室の乗客に対する利便性を高めることができる。
【００１５】
本発明のエレベータかご室においては、エレベータかご室本体の側面に、前記後部手摺に伝達機構を介して接続された駆動部が設けられ、前記エレベータかご室本体内に、前記駆動部に電気的に接続された手動スイッチが設けられ、前記手動スイッチからの信号に基づいて前記駆動部が前記後部手摺を鉛直方向に移動させることが好ましい。
このようなエレベータかご室によれば、乗客は手動スイッチを操作するだけで手摺装置の後部手摺の鉛直方向の移動を自動的に行うことができるので、エレベータかご室の乗客に対する利便性をより向上させることができる。
【００１６】
本発明のエレベータかご室においては、前記エレベータかご室本体の内開き扉に、当該内開き扉の開閉状態を検知するとともに前記駆動部に電気的に接続されたリミットスイッチが設けられ、前記内開き扉が開状態となったときに前記リミットスイッチは前記駆動部に信号を送り、当該駆動部が前記後部手摺を前記内開き扉の上端よりも上方の位置まで鉛直方向上方に移動させることが好ましい。
このようなエレベータかご室によれば、内開き扉を乗客が開いた際には手摺装置の後部手摺の鉛直方向上方への移動を自動的に行うことができるので、エレベータかご室の乗客に対する利便性をより向上させることができる。
【発明の効果】
【００１７】
本発明のエレベータかご室によれば、エレベータかご室本体の背面に内開き扉が設けられている場合であっても、このエレベータかご室本体の側面に設置される手摺装置を当該内開き扉に干渉されることなく背面近傍まで延びるものとすることができ、背面付近の乗客がこの手摺装置を利用することが可能となるので乗客に対する利便性を高めることができる。
【発明を実施するための最良の形態】
【００１８】
第１の実施の形態
以下、図面を参照して本発明の第１の実施の形態について説明する。図１および図２は、本実施の形態によるエレベータかご室を示す図である。このうち図１は、本実施の形態のエレベータかご室の構成を示す側面図であり、図２は、図１のエレベータかご室の上面図である。
【００１９】
まず、図１および図２において、本実施の形態のエレベータかご室について説明する。
図１および図２に示すように、エレベータかご室は、箱型のエレベータかご室本体１０と、このエレベータかご室本体１０に設置される手摺装置２０とを備えている。
箱型のエレベータかご室本体１０は、乗客が乗降を行うための引き戸型の開閉扉１１ａが設けられた前面１１と、前面１１に隣接して設けられた一対の側面１２と、前面１１に対向して設けられた背面１３とを有している。エレベータかご室本体１０の背面１３の奧方には更にトランク室１４が設けられており、この背面１３には内開きの２枚のトランク扉１４ａが設けられている。
背面１３に設けられた２枚のトランク扉１４ａは、図２の鎖線に示すようにエレベータかご室本体１０の前面１１側に向かって観音開きを行うようになっている。
【００２０】
次に、エレベータかご室の手摺装置２０について詳述する。
手摺装置２０は、図１および図２に示すように、エレベータかご室本体１０の各側面１２に沿って水平方向に延びている。この手摺装置２０は、２つの前部手摺ブラケット２１ａにより両端が側面１２に取り付けられた棒状の前部手摺２１と、この前部手摺２１から背面１３側に延びる棒状の後部手摺２２とを有している。
【００２１】
前部手摺２１と後部手摺２２との間には、エレベータかご室本体１０の側面１２に対して垂直方向に延びる回転軸２３が設けられている。後部手摺２２は、この回転軸２３を介して前部手摺２１に対して回動自在に枢支されている。具体的には、後部手摺２２は、前部手摺２１から背面１３側に水平方向に延びる状態（図１の実線部分参照）から、回転軸２３に対して垂直方向下方に延びる状態（図１の鎖線部分参照）まで回動するよう、前部手摺２１に枢支されている。
【００２２】
前部手摺２１と後部手摺２２とを連結する回転軸２３は、この回転軸２３とエレベータかご室本体１０の背面１３との間の距離が、当該背面１３に設けられた内開きのトランク扉１４ａの幅よりも大きくなるような位置に設けられている。
【００２３】
次に、このような構成からなる本実施の形態の作用について説明する。
最初に、トランク室１４を使用しないときには背面１３に設けられた内開きのトランク扉１４ａは閉じており、この場合において後部手摺２２は前部手摺２１から背面１３側に水平方向に延びる状態（図１の実線部分参照）で当該前部手摺２１の後端に支持されている。
【００２４】
次に、トランク室１４を使用する際にはトランク扉１４ａを図２の鎖線に示すように前面１１側に開く必要がある。この場合には、回転軸２３を中心として後部手摺２２を前部手摺２１に対して回転させ、この後部手摺２２を回転軸２３に対して垂直方向下方に延びる状態（図１の鎖線部分参照）まで移動させる。
【００２５】
回転軸２３に対して垂直方向下方に延びる状態まで後部手摺２２を回転させると、この後部手摺２２と背面１３との間の距離がトランク扉１４ａの幅よりも大きくなることにより、当該トランク扉１４ａをエレベータかご室本体１０の側面１２に近接する位置まで完全に開くことができる。
【００２６】
以上のように本実施の形態のエレベータかご室によれば、手摺装置２０において後部手摺２２が前部手摺２１に対して回転軸２３を介して回動自在に枢支されている。このためトランク扉（内開き扉）１４ａが閉じているときには後部手摺２２を前部手摺２１から背面１３側に水平方向に延びる状態とし、一方、トランク扉１４ａを開く場合には後部手摺２２を前部手摺２１の後端に対して回転させてこの後部手摺２２を回転軸２３に対して垂直方向下方に延びる状態とすることにより、トランク扉１４ａを手摺装置２０と衝突することなく側面１２に近接する位置まで完全に開くことができる。このことにより、エレベータかご室本体１０の背面１３にトランク扉１４ａが設けられている場合であっても、このエレベータかご室本体１０の側面に設置される手摺装置２０を背面１３近傍まで延びるものとすることができ、背面１３付近の乗客も手摺装置２０を利用することが可能となるのでエレベータかご室の乗客に対する利便性を高めることができる。
【００２７】
第２の実施の形態
以下、図面を参照して本発明の第２の実施の形態について説明する。図３は、図１のエレベータかご室の他の構成を示す側面図であり、図４は、図３のエレベータかご室の上面図である。
【００２８】
図３および図４に示すエレベータかご室は、エレベータかご室本体１０の側面１２の外方に、手摺装置２０の回転軸２３の端部に連結された駆動モータ（駆動部）２５が設けられるとともに、このエレベータかご室本体１０の内部に、駆動モータ２５に電気的に接続された手動スイッチ２６が設けられている点が異なるのみであり、他は実質的に図１および図２に示す第１の実施の形態と同様の構成を有している。
図３および図４に示す本実施の形態において、図１および図２に示す第１の実施の形態と同一部分には同一符号を付して詳細な説明は省略する。
【００２９】
図４に示すように、エレベータかご室本体１０の側面１２の外方には駆動モータ２５が取り付けられており、この駆動モータ２５は、側面１２に対して垂直方向に延びる軸を中心として回転する回転部（図示せず）を内部に有している。そして、手摺装置２０の回転軸２３の一端がこの駆動モータ２５の回転部に取り付けられている。
【００３０】
また、エレベータかご室本体１０の側面１２には手動スイッチ２６が取り付けられており、乗客がこの手動スイッチ２６を操作することができるようになっている。この手動スイッチ２６は駆動モータ２５に電気的に接続されている。
【００３１】
次に、このような構成からなる本実施の形態の作用について説明する。
最初に、トランク室１４を使用しないときには背面１３に設けられた内開きのトランク扉１４ａは閉じており、この場合において後部手摺２２は前部手摺２１から背面１３側に水平方向に延びる状態（図３の実線部分参照）で当該前部手摺２１の後端に固定されている。
【００３２】
次に、トランク室１４を使用する際には乗客が側面１２に取り付けられた手動スイッチ２６を操作して、この手動スイッチ２６からトランク扉１４ａの開指令信号を駆動モータ２５に送る。駆動モータ２５が開指令信号を受けると、駆動モータ２５の内部にある回転部が回転し、この回転部に取り付けられた手摺装置２０の回転軸２３が同期して回転し、後部手摺２２が前部手摺２１に対して回転する。このようにして後部手摺２２を回転軸２３に対して垂直方向下方に延びる状態（図３の鎖線部分参照）まで移動させ、トランク扉１４ａを完全に開くことができる。
【００３３】
そして、トランク扉１４ａを再び閉じた後は、乗客が手動スイッチ２６を再び操作して、この手動スイッチ２６からトランク扉１４ａの閉指令信号を駆動モータ２５に送る。駆動モータ２５が閉指令信号を受けると、駆動モータ２５の内部にある回転部およびこの回転部に取り付けられた回転軸２３が開指令信号による回転方向と逆方向に同期して回転し、後部手摺２２が前部手摺２１から背面１３側に水平方向に延びる状態（図３の実線部分参照）まで回転する。
【００３４】
以上のように本実施の形態のエレベータかご室によれば、エレベータかご室本体１０の側面１２に、手摺装置２０の後部手摺２２を回転させる駆動モータ（駆動部）２５が設けられており、エレベータかご室本体１０内に、駆動モータ２５に電気的に接続された手動スイッチ２６が設けられているので、乗客はこの手動スイッチ２６を操作するだけで手摺装置２０の後部手摺２２の回転移動を自動的に行うことができる。このため、エレベータかご室の乗客に対する利便性をより向上させることができる。
【００３５】
第３の実施の形態
以下、図面を参照して本発明の第３の実施の形態について説明する。図５は、図１のエレベータかご室の更に他の構成を示す上面図である。
【００３６】
図５に示すエレベータかご室は、エレベータかご室本体１０のトランク扉１４ａに、このトランク扉１４ａの開閉状態を検知するとともに駆動モータ２５に電気的に接続されたリミットスイッチ１４ｂが設けられた点が異なるのみであり、他は実質的に図３および図４に示す第２の実施の形態と同様の構成を有している。
図５に示す本実施の形態において、図３および図４に示す第２の実施の形態と同一部分には同一符号を付して詳細な説明は省略する。
【００３７】
図５に示すように、トランク扉１４ａの中央部分の裏面にリミットスイッチ１４ｂが設けられており、このリミットスイッチ１４ｂはトランク扉１４ａの開閉状態を検知するようになっている。図５の鎖線に示すように、リミットスイッチ１４ｂは駆動モータ２５に電気的に接続されており、トランク扉１４ａが閉じた状態から開き始めたことを検知したときには駆動モータ２５にトランク扉１４ａの開指令信号を送るようになっている。
【００３８】
次に、このような構成からなる本実施の形態の作用について説明する。
乗客がトランク室１４を使用する際にトランク扉１４ａをエレベータかご室本体１０の前面１１側に開いたときには、リミットスイッチ１４ｂはトランク扉１４ａが閉じた状態から開き始めたことを検知し、このリミットスイッチ１４ｂからトランク扉１４ａの開指令信号が駆動モータ２５に送られる。駆動モータ２５が開指令信号を受けると、駆動モータ２５の内部にある回転部が回転し、この回転部に取り付けられた手摺装置２０の回転軸２３が同期して回転し、後部手摺２２が前部手摺２１に対して回転する。このようにして後部手摺２２を回転軸２３に対して垂直方向下方に延びる状態まで移動させ、トランク扉１４ａを完全に開くことができる。
【００３９】
そして、乗客により手動でトランク扉１４ａが再び閉じられた後は、リミットスイッチ１４ｂはトランク扉１４ａが閉状態となったことを検知し、このリミットスイッチ１４ｂからトランク扉１４ａの閉指令信号が駆動モータ２５に送られる。駆動モータ２５が閉指令信号を受けると、駆動モータ２５の内部にある回転部およびこの回転部に取り付けられた回転軸２３が開指令信号による回転方向と逆方向に同期して回転し、後部手摺２２が前部手摺２１から背面１３側に水平方向に延びる状態まで回転する。
【００４０】
以上のように本実施の形態のエレベータかご室によれば、エレベータかご室本体１０のトランク扉（内開き扉）１４ａに、このトランク扉１４ａの開閉状態を検知するとともに駆動モータ（駆動部）２５に電気的に接続されたリミットスイッチ１４ｂが設けられているので、トランク扉１４ａを乗客が開いた際には手摺装置２０の後部手摺２２の回転移動が自動的に行われる。このため、エレベータかご室の乗客に対する利便性をより向上させることができる。
【００４１】
第４の実施の形態
以下、図面を参照して本発明の第４の実施の形態について説明する。図６および図７は、本実施の形態によるエレベータかご室を示す図である。このうち図６は、本実施の形態のエレベータかご室の構成を示す側面図であり、図７は、図６のエレベータかご室の上面図である。
【００４２】
図６および図７に示すエレベータかご室は、手摺装置の構成が異なるのみであり、他は実質的に図１および図２に示す第１の実施の形態と同様の構成を有している。  
図６および図７に示す本実施の形態において、図１および図２に示す第１の実施の形態と同一部分には同一符号を付して詳細な説明は省略する。
【００４３】
以下、本実施の形態のエレベータかご室の手摺装置３０について詳述する。
手摺装置３０は、図６および図７に示すように、２つの前部手摺ブラケット３１ａにより両端が側面１２に取り付けられ、背面１３側に開口する収納部３１ｂを有する前部手摺３１と、この前部手摺３１から背面１３側に延びる棒状の後部手摺３２とを有している。
【００４４】
前部手摺３１は円筒形状のものとなっており、この円筒形状の中空部分に収納部３１ｂが設けられている。この収納部３１ｂは、前部手摺３１の背面１３側の端部（後端）においては開口しているが、手摺装置３１の前面１１側の端部（前端）においては閉止している。
【００４５】
後部手摺３２は前部手摺３１の背面１３側の後端からさらに背面１３側に延びるよう設けられている。この後部手摺３２は前部手摺３１の収納部３１ｂに収納可能な大きさのものであり、当該収納部３１ｂに収納されるよう前部手摺３１に対して軸方向に摺動自在となっている。
より具体的に説明すると、後部手摺３２は、前部手摺３１の後端から背面１３側に完全に延伸された状態（図６の実線部分参照）から、この前部手摺３１の収納部３１ｂに完全に収納される状態までの範囲を自在に摺動するようになっている。
【００４６】
前部手摺３１は、この前部手摺３１の後端とエレベータかご室本体１０の背面１３との間の距離が、当該背面１３に設けられた内開きのトランク扉１４ａの幅よりも大きくなるような位置に設けられている。
【００４７】
次に、このような構成からなる本実施の形態の作用について説明する。
最初に、トランク室１４を使用しないときには背面１３に設けられた内開きのトランク扉１４ａは閉じており、この場合において後部手摺３２は前部手摺３１から背面１３側に水平方向に完全に延伸した状態（図６の実線部分参照）で当該前部手摺３１の後端に支持されている。
【００４８】
次に、トランク室１４を使用する際にはトランク扉１４ａを図７の鎖線に示すように前面１１側に開く必要がある。この場合には、後部手摺３２を前部手摺３１に対して摺動させ、この後部手摺３２を前部手摺３１の収納部３１ｂに完全に収納させる。
【００４９】
後部手摺３２を前部手摺３１の収納部３１ｂに完全に収納させると、前部手摺３１の後端と背面１３との間の距離がトランク扉１４ａの幅よりも大きいことにより、当該トランク扉１４ａをエレベータかご室本体１０の側面１２に近接する位置まで完全に開くことができる。
【００５０】
以上のように本実施の形態のエレベータかご室によれば、手摺装置３０において後部手摺３２は前部手摺３１から背面１３側に延びるとともに、この前部手摺３１の収納部３１ｂに収納されるよう軸方向に摺動自在となっている。このためトランク扉（内開き扉）１４ａが閉じているときには後部手摺３２を前部手摺３１から背面１３側に水平方向に延びる状態とし、一方、トランク扉１４ａを開く場合には後部手摺３２を前部手摺３１に対して摺動させてこの後部手摺３２が前部手摺３１に収納された状態とすることにより、トランク扉１４ａを手摺装置３０と衝突することなく側面１２に近接する位置まで完全に開くことができる。このことにより、エレベータかご室本体１０の背面１３にトランク扉１４ａが設けられている場合であっても、このエレベータかご室本体１０の側面に設置される手摺装置３０を背面１３近傍まで延びるものとすることができ、背面１３付近の乗客も手摺装置３０を利用することが可能となるのでエレベータかご室の乗客に対する利便性を高めることができる。
【００５１】
第５の実施の形態
以下、図面を参照して本発明の第５の実施の形態について説明する。図８は、図６のエレベータかご室の他の構成を示す側面図であり、図９は、図８のエレベータかご室の上面図であり、図１０は、図８のエレベータかご室の手摺装置の構成の詳細を示す横断面図である。
【００５２】
図８乃至図１０に示すエレベータかご室は、手摺装置３０の前部手摺３１の内部に、後部手摺３２に伝達機構３３を介して接続された駆動モータ（駆動部）３５が設けられるとともに、このエレベータかご室本体１０の内部に、駆動モータ３５に電気的に接続された手動スイッチ３６が設けられている点が異なるのみであり、他は実質的に図６および図７に示す第４の実施の形態と同様の構成を有している。
図８乃至図１０に示す本実施の形態において、図６および図７に示す第４の実施の形態と同一部分には同一符号を付して詳細な説明は省略する。
【００５３】
図１０に示すように、手摺装置３０の前部手摺３１の内部には駆動モータ３５が取り付けられており、この駆動モータ３５は、側面１２に対して垂直方向に延びる軸を中心として回転し先端に滑車３５ａが取り付けられた回転部（図示せず）を内部に有している。また、前部手摺３１の内部の後端側（背面１３側）には滑車３５ａに対応する滑車３５ｂが取り付けられており、滑車３５ａと滑車３５ｂにより無端状のベルト３５ｃが張架されている。
一方、後部手摺３２の前面１１側の端部には後部手摺ブラケット３２ａが取り付けられており、この後部手摺ブラケット３２ａがベルト３５ｃに取り付けられている。
滑車３５ａ、３５ｂ、ベルト３５ｃおよび後部手摺ブラケット３２ａにより伝達機構３３が構成されており、この伝達機構３３が後部手摺３２と駆動モータ３５とを接続して駆動モータ３５の回転動力を後部手摺３２に伝達するようになっている。
【００５４】
また、図８に示すように、エレベータかご室本体１０の側面１２には手動スイッチ３６が取り付けられており、乗客がこの手動スイッチ３６を操作することができるようになっている。この手動スイッチ３６は駆動モータ３５に電気的に接続されている。
【００５５】
次に、このような構成からなる本実施の形態の作用について説明する。
最初に、トランク室１４を使用しないときには背面１３に設けられた内開きのトランク扉１４ａは閉じており、この場合において後部手摺３２は前部手摺３１から背面１３側に水平方向に完全に延伸する状態（図８の実線部分参照）で当該前部手摺３１の後端に固定されている。
【００５６】
次に、トランク室１４を使用する際には乗客が側面１２に取り付けられた手動スイッチ３６を操作して、この手動スイッチ３６からトランク扉１４ａの開指令信号を駆動モータ３５に送る。駆動モータ３５が開指令信号を受けると、駆動モータ３５の内部にある回転部および滑車３５ａが同期して回転し、無端状のベルト３５ｃが循環移動してこのベルト３５ｃに取り付けられた後部手摺ブラケット３２ａが前面１１側に移動する。このようにして後部手摺３２を前部手摺３１に対して摺動させ、この後部手摺３２を前部手摺３１の収納部３１ｂに完全に収納させる。
【００５７】
後部手摺３２を前部手摺３１の収納部３１ｂに完全に収納させると、前部手摺３１の後端と背面１３との間の距離がトランク扉１４ａの幅よりも大きいことにより、当該トランク扉１４ａをエレベータかご室本体１０の側面１２に近接する位置まで完全に開くことができる。
【００５８】
そして、トランク扉１４ａを再び閉じた後は、乗客が手動スイッチ３６を再び操作して、この手動スイッチ３６からトランク扉１４ａの閉指令信号を駆動モータ３５に送る。駆動モータ３５が閉指令信号を受けると、駆動モータ３５の内部にある回転部および滑車３５ａが開指令信号による回転方向と逆方向に同期して回転し、後部手摺ブラケット３２ａが背面１３側に移動し、後部手摺３２が前部手摺３１から背面１３側に水平方向に完全に延伸した状態となるまで摺動する。
【００５９】
以上のように本実施の形態のエレベータかご室によれば、手摺装置３０の前部手摺３１の内部に、この手摺装置３０の後部手摺３２を摺動させる駆動モータ（駆動部）３５が設けられており、エレベータかご室本体１０内に、駆動モータ３５に電気的に接続された手動スイッチ３６が設けられているので、乗客はこの手動スイッチ３６を操作するだけで手摺装置３０の後部手摺３２の前部手摺３１に対する摺動を自動的に行うことができる。このため、エレベータかご室の乗客に対する利便性をより向上させることができる。
【００６０】
第６の実施の形態
以下、図面を参照して本発明の第６の実施の形態について説明する。図１１は、図６のエレベータかご室の更に他の構成を示す上面図である。
【００６１】
図１１に示すエレベータかご室は、エレベータかご室本体１０のトランク扉１４ａに、このトランク扉１４ａの開閉状態を検知するとともに駆動モータ３５に電気的に接続されたリミットスイッチ１４ｂが設けられた点が異なるのみであり、他は実質的に図８乃至図１０に示す第５の実施の形態と同様の構成を有している。
図１１に示す本実施の形態において、図８乃至図１０に示す第５の実施の形態と同一部分には同一符号を付して詳細な説明は省略する。
【００６２】
図１１に示すように、トランク扉１４ａの中央部分の裏面にリミットスイッチ１４ｂが設けられており、このリミットスイッチ１４ｂはトランク扉１４ａの開閉状態を検知するようになっている。
リミットスイッチ１４ｂは駆動モータ３５に電気的に接続されており、トランク扉１４ａが閉じた状態から開き始めたことを検知したときには駆動モータ３５にトランク扉１４ａの開指令信号を送るようになっている。
【００６３】
次に、このような構成からなる本実施の形態の作用について説明する。
乗客がトランク室１４を使用する際にトランク扉１４ａをエレベータかご室本体１０の前面１１側に開いたときには、リミットスイッチ１４ｂはトランク扉１４ａが閉じた状態から開き始めたことを検知し、このリミットスイッチ１４ｂからトランク扉１４ａの開指令信号が駆動モータ３５に送られる。駆動モータ３５が開指令信号を受けると、駆動モータ３５の内部にある回転部および滑車３５ａが同期して回転し、無端状のベルト３５ｃが循環移動してこのベルト３５ｃに取り付けられた後部手摺ブラケット３２ａが前面１１側に移動する。このようにして後部手摺３２を前部手摺３１に対して摺動させ、この後部手摺３２を前部手摺３１の収納部３１ｂに完全に収納させる。このことによりトランク扉１４ａを完全に開くことができる。
【００６４】
そして、乗客により手動でトランク扉１４ａが再び閉じられた後は、リミットスイッチ１４ｂはトランク扉１４ａが閉状態となったことを検知し、このリミットスイッチ１４ｂからトランク扉１４ａの閉指令信号が駆動モータ３５に送られる。駆動モータ３５が閉指令信号を受けると、駆動モータ３５の内部にある回転部および滑車３５ａが開指令信号による回転方向と逆方向に同期して回転し、後部手摺ブラケット３２ａが背面１３側に移動し、後部手摺３２が前部手摺３１から背面１３側に水平方向に完全に延伸した状態となるまで摺動する。
【００６５】
以上のように本実施の形態のエレベータかご室によれば、エレベータかご室本体１０のトランク扉（内開き扉）１４ａに、このトランク扉１４ａの開閉状態を検知するとともに駆動モータ（駆動部）３５に電気的に接続されたリミットスイッチ１４ｂが設けられているので、トランク扉１４ａを乗客が開いた際には手摺装置３０の後部手摺３２の前部手摺３１に対する摺動が自動的に行われる。このため、エレベータかご室の乗客に対する利便性をより向上させることができる。
【００６６】
第７の実施の形態
以下、図面を参照して本発明の第７の実施の形態について説明する。図１２および図１３は、本実施の形態によるエレベータかご室を示す図である。このうち図１２は、本実施の形態のエレベータかご室の構成を示す側面図であり、図１３は、図１２のエレベータかご室の上面図である。
【００６７】
図１２および図１３に示すエレベータかご室は、手摺装置の構成が異なるのみであり、他は実質的に図１および図２に示す第１の実施の形態と同様の構成を有している。  
図１２および図１３に示す本実施の形態において、図１および図２に示す第１の実施の形態と同一部分には同一符号を付して詳細な説明は省略する。
【００６８】
以下、本実施の形態のエレベータかご室の手摺装置４０について詳述する。
手摺装置４０は、図１２および図１３に示すように、２つの前部手摺ブラケット４１ａにより両端が側面１２に取り付けられた一対の棒状の前部手摺４１と、この前部手摺４１よりも背面１３側において当該前部手摺４１から分離して側面１２に沿って水平方向に設けられた棒状の後部手摺４２とを有している。
【００６９】
図１２に示すように、エレベータかご室本体１０の側面１２には鉛直方向に延びる一対のスリット４４が設けられ、後部手摺４２の両端がこれらのスリット４４に沿って鉛直方向に自在に移動するようになっている。具体的には、後部手摺４２の両端には後部手摺ブラケット４２ａがそれぞれ取り付けられており、側面１２の裏側において各後部手摺ブラケット４２ａが各スリット４４に案内されるようになっている。
【００７０】
図１２に示すように、エレベータかご室本体１０の側面１２に設けられた各スリット４４の上端のレベルはトランク扉１４ａの上端よりも上方となっており、また下端のレベルは前部手摺４１のレベルと略同一となっている。
【００７１】
また、図１３に示すように、エレベータかご室本体１０の側面１２における各スリット４４の上端および下端の近傍には後部手摺４２を固定するための後部手摺固定アングル４２ｂがそれぞれ設けられている。一方、後部手摺４２の両端にはこれらの後部手摺固定アングル４２ｂに係合可能な係合ピン４２ｃがそれぞれ取り付けられている。
【００７２】
次に、このような構成からなる本実施の形態の作用について説明する。
最初に、トランク室１４を使用しないときには背面１３に設けられた内開きのトランク扉１４ａは閉じており、この場合において後部手摺４２はスリット４４の下端に位置している。この際に、後部手摺４２は両端に設けられた係合ピン４２ｃにより、スリット４４の下端近傍に設けられた後部手摺固定アングル４２ｂに係合している。このことにより、後部手摺４２は前部手摺４１と略同一のレベルに固定されている。
【００７３】
次に、トランク室１４を使用する際にはトランク扉１４ａを図１３の鎖線に示すように前面１１側に開く必要がある。この場合には、後部手摺４２をスリット４４に沿って鉛直方向上方に移動させる。そして、後部手摺４２の両端に設けられた係合ピン４２ｃを、スリット４４の上端近傍に設けられた後部手摺固定アングル４２ｂに係合させることにより、この後部手摺４２をスリット４４の上端に固定する（図１２の鎖線部分参照）。
【００７４】
後部手摺４２をスリット４４の上端に固定すると、この後部手摺４２のレベルがトランク扉１４ａの上端よりも上方となるので、当該トランク扉１４ａをエレベータかご室本体１０の側面１２に近接する位置まで完全に開くことができる。
【００７５】
以上のように本実施の形態のエレベータかご室によれば、手摺装置４０において後部手摺４２は前部手摺４１から分離して側面１２に沿って水平方向に設けられ、上限レベルがトランク扉（内開き扉）１４ａの上端よりも上方となるよう鉛直方向に移動自在となっている。このためトランク扉１４ａが閉じているときには後部手摺４２を前部手摺４１と略同一のレベルとなる状態で支持し、一方、トランク扉１４ａを開く場合には後部手摺４２を鉛直方向上方に移動させてこの後部手摺４２のレベルがトランク扉１４ａの上端よりも上方となる状態とすることにより、トランク扉１４ａを手摺装置４０と衝突することなく側面１２に近接する位置まで完全に開くことができる。このことにより、エレベータかご室本体１０の背面１３にトランク扉１４ａが設けられている場合であっても、このエレベータかご室本体１０の側面に設置される手摺装置４０を背面１３近傍まで延びるものとすることができ、背面１３付近の乗客も手摺装置４０を利用することが可能となるのでエレベータかご室の乗客に対する利便性を高めることができる。
【００７６】
第８の実施の形態
以下、図面を参照して本発明の第８の実施の形態について説明する。図１４は、図１２のエレベータかご室の他の構成を示す側面図であり、図１５は、図１４のエレベータかご室の上面図であり、図１６は、図１４のエレベータかご室の手摺装置の構成の詳細を示す側面図である。
【００７７】
図１４乃至図１６に示すエレベータかご室は、エレベータかご室本体１０の側面１２の外方に、後部手摺４２に伝達機構４３を介して接続された駆動モータ（駆動部）４５が設けられるとともに、このエレベータかご室本体１０の内部に、駆動モータ４５に電気的に接続された手動スイッチ４６が設けられている点が異なるのみであり、他は実質的に図１２および図１３に示す第７の実施の形態と同様の構成を有している。
図１４乃至図１６に示す本実施の形態において、図１２および図１３に示す第７の実施の形態と同一部分には同一符号を付して詳細な説明は省略する。
【００７８】
図１５および図１６に示すように、エレベータかご室本体１０の側面１２の外方には駆動モータ４５が取り付けられており、この駆動モータ４５は、側面１２と平行に延びる軸を中心として回転し先端に滑車４５ａが取り付けられた回転部（図示せず）を内部に有している。この滑車４５ａはスリット４４の下端近傍に設けられている。また、滑車４５ａの上方であってスリット４４の上端近傍において滑車４５ｂが側面１２の裏側に取り付けられており、滑車４５ａと滑車４５ｂにより無端状のベルト４５ｃが張架されている。
一方、後部手摺４２には後部手摺ブラケット４２ａが設けられており、この後部手摺ブラケット４２ａがベルト４５ｃに取り付けられている。
滑車４５ａ、４５ｂ、ベルト４５ｃおよび後部手摺ブラケット４２ａにより伝達機構４３が構成されており、この伝達機構４３は後部手摺４２と駆動モータ４５とを接続して駆動モータ４５の回転動力を後部手摺４２に伝達するようになっている。
【００７９】
また、図１４に示すように、エレベータかご室本体１０の側面１２には手動スイッチ４６が取り付けられており、乗客がこの手動スイッチ４６を操作することができるようになっている。この手動スイッチ４６は駆動モータ４５に電気的に接続されている。
【００８０】
次に、このような構成からなる本実施の形態の作用について説明する。
最初に、トランク室１４を使用しないときには背面１３に設けられた内開きのトランク扉１４ａは閉じており、この場合において後部手摺４２はスリット４４の下端に位置している。この際に、後部手摺４２は両端に設けられた係合ピン４２ｃにより、スリット４４の下端近傍に設けられた後部手摺固定アングル４２ｂに係合している。このことにより、後部手摺４２は前部手摺４１と略同一のレベルに固定されている。
【００８１】
次に、トランク室１４を使用する際には乗客が側面１２に取り付けられた手動スイッチ４６を操作して、この手動スイッチ４６からトランク扉１４ａの開指令信号を駆動モータ４５に送る。駆動モータ４５が開指令信号を受けると、駆動モータ４５の内部にある回転部および滑車４５ａが同期して回転し、無端状のベルト４５ｃが循環移動してこのベルト４５ｃに取り付けられた後部手摺ブラケット４２ａが鉛直方向上方に移動する。このようにして後部手摺４２をスリット４４に沿って鉛直方向上方に移動させる。そして、後部手摺４２の両端に設けられた係合ピン４２ｃを、スリット４４の上端近傍に設けられた後部手摺固定アングル４２ｂに係合させることにより、この後部手摺４２をスリット４４の上端に固定する（図１４の鎖線部分参照）。
【００８２】
後部手摺４２をスリット４４の上端に固定すると、この後部手摺４２のレベルがトランク扉１４ａの上端よりも上方となるので、当該トランク扉１４ａをエレベータかご室本体１０の側面１２に近接する位置まで完全に開くことができる。
【００８３】
そして、トランク扉１４ａを再び閉じた後は、乗客が手動スイッチ４６を再び操作して、この手動スイッチ４６からトランク扉１４ａの閉指令信号を駆動モータ４５に送る。駆動モータ４５が閉指令信号を受けると、駆動モータ４５の内部にある回転部および滑車４５ａが開指令信号による回転方向と逆方向に同期して回転し、後部手摺ブラケット４５ａが鉛直方向下方に移動し、最終的に後部手摺４２は前部手摺４１のレベルと略同一となるまで降下する。
【００８４】
以上のように本実施の形態のエレベータかご室によれば、エレベータかご室本体１０の側面１２に、手摺装置４０の後部手摺４２を摺動させる駆動モータ（駆動部）４５が設けられており、エレベータかご室本体１０内に、駆動モータ４５に電気的に接続された手動スイッチ４６が設けられているので、乗客はこの手動スイッチ４６を操作するだけで手摺装置４０の後部手摺４２の鉛直方向の移動を自動的に行うことができる。このため、エレベータかご室の乗客に対する利便性をより向上させることができる。
【００８５】
第９の実施の形態
以下、図面を参照して本発明の第９の実施の形態について説明する。図１７は、図１２のエレベータかご室の更に他の構成を示す上面図である。
【００８６】
図１７に示すエレベータかご室は、エレベータかご室本体１０のトランク扉１４ａに、このトランク扉１４ａの開閉状態を検知するとともに駆動モータ４５に電気的に接続されたリミットスイッチ１４ｂが設けられた点が異なるのみであり、他は実質的に図１４乃至図１６に示す第８の実施の形態と同様の構成を有している。
図１７に示す本実施の形態において、図１４乃至図１６に示す第８の実施の形態と同一部分には同一符号を付して詳細な説明は省略する。
【００８７】
図１７に示すように、トランク扉１４ａの中央部分の裏面にリミットスイッチ１４ｂが設けられており、このリミットスイッチ１４ｂはトランク扉１４ａの開閉状態を検知するようになっている。図１７の鎖線に示すように、このリミットスイッチ１４ｂは駆動モータ４５に電気的に接続されており、トランク扉１４ａが閉じた状態から開き始めたことを検知したときには駆動モータ４５にトランク扉１４ａの開指令信号を送るようになっている。
【００８８】
次に、このような構成からなる本実施の形態の作用について説明する。
乗客がトランク室１４を使用する際にトランク扉１４ａをエレベータかご室本体１０の前面１１側に開いたときには、リミットスイッチ１４ｂはトランク扉１４ａが閉じた状態から開き始めたことを検知し、このリミットスイッチ１４ｂからトランク扉１４ａの開指令信号が駆動モータ４５に送られる。駆動モータ４５が開指令信号を受けると、駆動モータ４５の内部にある回転部および滑車４５ａが同期して回転し、無端状のベルト４５ｃが循環移動してこのベルト４５ｃに取り付けられた後部手摺ブラケット４２ａが鉛直方向上方に移動する。このようにして後部手摺４２をスリット４４に沿って鉛直方向上方に移動させる。
このことにより、後部手摺４２のレベルがトランク扉１４ａの上端よりも上方となるので、当該トランク扉１４ａをエレベータかご室本体１０の側面１２に近接する位置まで完全に開くことができる。
【００８９】
そして、乗客により手動でトランク扉１４ａが再び閉じられた後は、リミットスイッチ１４ｂはトランク扉１４ａが閉状態となったことを検知し、このリミットスイッチ１４ｂからトランク扉１４ａの閉指令信号が駆動モータ４５に送られる。駆動モータ４５が閉指令信号を受けると、駆動モータ４５の内部にある回転部および滑車４５ａが開指令信号による回転方向と逆方向に同期して回転し、後部手摺ブラケット４５ａが鉛直方向下方に移動し、最終的に後部手摺４２は前部手摺４１のレベルと略同一となるまで降下する。
【００９０】
以上のように本実施の形態のエレベータかご室によれば、エレベータかご室本体１０のトランク扉（内開き扉）１４ａに、このトランク扉１４ａの開閉状態を検知するとともに駆動モータ（駆動部）４５に電気的に接続されたリミットスイッチ１４ｂが設けられているので、トランク扉１４ａを乗客が開いた際には手摺装置４０の後部手摺４２の鉛直方向の移動を自動的に行うことができる。このため、エレベータかご室の乗客に対する利便性をより向上させることができる。
【図面の簡単な説明】
【００９１】
【図１】第１の実施の形態のエレベータかご室の構成を示す側面図である。
【図２】図１のエレベータかご室の上面図である。
【図３】第２の実施の形態のエレベータかご室の構成を示す側面図である。
【図４】図３のエレベータかご室の上面図である。
【図５】第３の実施の形態のエレベータかご室の構成を示す上面図である。
【図６】第４の実施の形態のエレベータかご室の構成を示す側面図である。
【図７】図６のエレベータかご室の上面図である。
【図８】第５の実施の形態のエレベータかご室の構成を示す側面図である。
【図９】図８のエレベータかご室の上面図である。
【図１０】図８のエレベータかご室の手摺装置の構成の詳細を示す横断面図である。
【図１１】第６の実施の形態のエレベータかご室の構成を示す上面図である。
【図１２】第７の実施の形態のエレベータかご室の構成を示す側面図である。
【図１３】図１２のエレベータかご室の上面図である。
【図１４】第８の実施の形態のエレベータかご室の構成を示す側面図である。
【図１５】図１４のエレベータかご室の上面図である。
【図１６】図１４のエレベータかご室の手摺装置の構成の詳細を示す側面図である。
【図１７】第９の実施の形態のエレベータかご室の構成を示す上面図である。
【図１８】従来のエレベータかご室の構成を示す側面図である。
【図１９】図１８のエレベータかご室の構成を示す上面図である。
【符号の説明】
【００９２】
１０    エレベータかご室本体
１１    前面
１１ａ  開閉扉
１２    側面
１３    背面
１４    トランク室
１４ａ  トランク扉（内開き扉）
１４ｂ  リミットスイッチ
２０    手摺装置
２１    前部手摺
２１ａ  前部手摺ブラケット
２２    後部手摺
２３    回転軸
２５    駆動モータ（駆動部）
２６    手動スイッチ
３０    手摺装置
３１    前部手摺
３１ａ  前部手摺ブラケット
３１ｂ  収納部
３２    後部手摺
３２ａ  後部手摺ブラケット
３３    伝達機構
３５    駆動モータ
３５ａ  滑車
３５ｂ  滑車
３５ｃ  ベルト
３６    手動スイッチ
４０    手摺装置
４１    前部手摺
４１ａ  前部手摺ブラケット
４２    後部手摺
４２ａ  後部手摺ブラケット
４２ｂ  後部手摺固定アングル
４２ｃ  係合ピン
４３    伝達機構
４４    スリット
４５    駆動モータ
４５ａ  滑車
４５ｂ  滑車
４５ｃ  ベルト
４６    手動スイッチ
５０    手摺装置
５１    手摺本体
５２    ブラケット
【図１】
2006256822.tif 000003
【図２】
2006256822.tif 000004
【図３】
2006256822.tif 000005
【図４】
2006256822.tif 000006
【図５】
2006256822.tif 000007
【図６】
2006256822.tif 000008
【図７】
2006256822.tif 000009
【図８】
2006256822.tif 000010
【図９】
2006256822.tif 000011
【図１０】
2006256822.tif 000012
【図１１】
2006256822.tif 000013
【図１２】
2006256822.tif 000014
【図１３】
2006256822.tif 000015
【図１４】
2006256822.tif 000016
【図１５】
2006256822.tif 000017
【図１６】
2006256822.tif 000018
【図１７】
2006256822.tif 000019
【図１８】
2006256822.tif 000020
【図１９】
2006256822.tif 000021